(57)【要約】      （修正有）【課題】クーラーの全体構造を単純化でき、クーラーをコンパクトにし、運搬と設置の便を向上させることができ、しかも使用においては節電が可能で、騒音が少ないチップクーラーを提供する。【解決手段】サーモエレクトリッククーリングチップを主要部品とする。電熱処理を施した後、その両面は、それぞれ冷却面と発熱面を形成するサーモエレクトリッククーリングチップを、殻体内に設置する。殻体内は、冷却空間と発熱空間に区画され、冷却空間と発熱空間には、内部にそれぞれ冷却フィンと散熱フィンを設置する。【選択図】図２
0003157032.tif 000002
【実用新案登録請求の範囲】
【請求項１】
サーモエレクトリッククーリングチップを主要部品とし、冷却/散熱、及び伝送部品により構成し、
前記サーモエレクトリッククーリングチップに電熱処理を施した後、その両面は、それぞれ冷却面と発熱面を形成し、
前記サーモエレクトリッククーリングチップは、殻体内に設置し、
前記殻体内は、冷却空間と発熱空間に区画され、
前記冷却空間と前記発熱空間には、内部にそれぞれ冷却フィンと散熱フィンを設置し、熱を吸収し冷却し、
前記冷却面が生じる「冷」と前記発熱面が生じる「熱」とは、ファンにより排出されることを特徴とするチップクーラー。
【請求項２】
前記冷却フィンには、冷却水管を設置し、前記散熱フィンには、散熱水管を設置し、ファンを設置することができ、ポンプを用いて、フィンの冷却と散熱とを行うことを特徴とする請求項１に記載のチップクーラー。
【請求項３】
前記冷却フィン上の冷却水管、前記散熱フィン上の散熱水管の、吸水口と排出口とは、それぞれポンプに接続し、これにより循環作用を発生することを特徴とする請求項１に記載のチップクーラー。
【請求項４】
前記クーリングチップの冷却面には、冷却パネルを結合し、前記発熱面には散熱パネルを結合することを特徴とする請求項１に記載のチップクーラー。
【考案の詳細な説明】
【技術分野】
【０００１】
本考案はチップクーラーに関し、特に半導体中のサーモエレクトリッククーリングチップ(Thermoelectric Cooling Chips)を運用して、他の冷却パーツと組み合わせて構成するクーラーで、環境保護と省エネの効果を備えるチップクーラーに関する。
【背景技術】
【０００２】
従来のクーラーはみな、冷媒とコンプレッサーを主要構造とする。しかし、専門家が指摘するように、冷媒を長期間使用すると、大気中のオゾン層を破壊し温室効果を招き、地球の気候を変化させてしまうばかりか、自然環境に深刻なダメージを与え、人類の生活の質にも悪影響を及ぼす。しかも、現在使用されているコンプレッサーは、クーラーの体積を大きくしてしまい、運搬と設置を非常に不便にしており、かつ消費電力が比較的高く、騒音が大きい。本考案は、従来のコンプレッサー及び冷媒を主要構造として使用するクーラーの上記した欠点に鑑みてなされたものである。  
【考案の概要】
【考案が解決しようとする課題】
【０００３】
本考案が解決しようとする課題は、半導体中のサーモエレクトリッククーリングチップ(Thermoelectric Cooling Chips)を運用して、他の冷却パーツと組み合わせて構成し、環境保護と省エネの効果を備えるチップクーラーを提供することである。
【課題を解決するための手段】
【０００４】
上記課題を解決するため、本考案は下記のチップクーラーを提供する。
チップクーラーは、コンプレッサーと冷媒が不要で、チップを採用し、サーモエレクトリッククーリングチップを主要部品とし、
該サーモエレクトリッククーリングチップに電熱処理を施した後、その両面は、それぞれ「冷」と「熱」の効果を生じ、
冷却フィンと冷却水管の作用を通して、該「冷」を該冷却フィン中に蓄え、
CPU制御インターフェースに設置する温度設定ボタンにより、必要な温度に設定し、ファンを通して冷気を送出し、室内を冷却する効果を達成し、
該「熱」を生じる一面は、散熱フィンと散熱水管の作用を通して冷却され、散熱ファンにより排出され、使用時には、室内の温度を迅速に低下させられ、
従来のコンプレッサーと冷媒を使用する必要がないため、クーラーの全体構造を単純化でき、クーラーをコンパクトにし、運搬と設置の便を向上させることができ、しかも使用においては節電が可能で、騒音が少なく、極めて高い環境保護効果を備える。
【考案の効果】
【０００５】
本考案チップクーラーは、半導体中のサーモエレクトリッククーリングチップ(Thermoelectric Cooling Chips)を運用して、他の冷却パーツと組み合わせて構成し、環境保護と省エネの効果を備える。
【図面の簡単な説明】
【０００６】
【図１】本考案の正面図である。
【図２】本考案の断面図である。
【考案を実施するための形態】
【０００７】
以下に図面を参照しながら本考案を実施するための最良の形態について詳細に説明する。
【実施例】
【０００８】
図１、２に示すように、本考案は半導体サーモエレクトリッククーリングチップ１を主要構造として運用する。サーモエレクトリッククーリングチップ１の一面は「冷却面」で、冷却パネル１１を結合し、反対面は「発熱面」で、散熱パネル１２を結合し、殻体２内に設置する。殻体２は、冷却空間２１と発熱空間２２とに分割、区画される。冷却空間２１には、冷気出口２３を設置し、発熱空間２２には、吸気口２４と熱気排出口２５とを設置する。
【０００９】
冷却空間２１内には、冷気パネル１１と相互に結合する冷却フィン３を設置する。冷却フィン３上には、冷却水管３１を設置し、冷気出口２３には、冷気ファン３２を設置する。発熱空間２３内には、散熱パネル１２と相互に結合する散熱フィン４を設置する。散熱フィン４上には、散熱水管４１を設置し、加速散熱フィン４２、及び散熱フィン４２上に循環式加速散熱水管４３、さらに加速散熱フィン４２と相互に結合する吸気ファン４４を結合する。これにより、機体外の空気を吸入し、散熱フィン４を助け、散熱フィン４の散熱、冷却を加速することができる。さらに、散熱ファン４５の作用を通して、冷却後の熱気を、排出口２５から排出する。
【００１０】
冷却フィン３上の冷却水管３１、散熱水管４１、循環式加速散熱水管４３の取水口と排水口は、それぞれポンプ５に連接する。これにより、冷却水管３１、散熱水管４１、循環式加速散熱水管４３内に注入された冷却水と散熱水は、循環作用を生じることができ、こうして迅速な冷却と迅速な散熱の機能を達成することができる。さらに同時に、散熱水管４１と循環式加速散熱水管４３とは、散熱フィン４が吸収した熱を冷却するため、その冷却効果を加速することができ、これにより散熱フィン４の温度を急速に低下させられるばかりか、排出される熱気の温度を室内の常温より下げることができる。こうして、冷気出口２３から室内へと送出される冷気の温度に影響を及ぼさないようにすることができる。設置において、本考案のチップクーラーは、従来のクーラーのように、窓に設置しなければならないなどの制限はなく、室内のあらゆる適当な位置に置くことができる。
【００１１】
本考案の使用時には、CPU制御の電源スイッチ１０、温度設定ボタン２０により起動する。これにより、サーモエレクトリッククーリングチップ１の両面は、サーモエレクトリック処理により、「冷」と「熱」を生じる。「冷」」を生じる一面は、冷却フィン３とその冷却水管３１の作用を通して、「冷」を冷却フィン３中に蓄える。温度設定ボタン２０が設定した温度に達すると、冷気ファン３２は、「冷」を冷気出口２３から送出し、室内に充満させ、快適な環境を形成する。「熱」を生じる一面は、散熱フィン４とその循環式散熱水管４１を通して、加速散熱フィン４２、循環式加速散熱水管４３、吸気ファン４４は、機体外の空気を吸入し冷却後、散熱ファン４５を経て送り出され、熱気排出口２５から排出される。この時、その温度は既に室温に接近しており、或いは室温より低いため、屋外に排出する必要はない。このため、本考案のチップクーラーは、従来のクーラーのように窓、クーラー用の設置穴、壁際に設置する必要はなくなり、制限なく、あらゆる場所に設置することができる。
【００１２】
上記したように、本考案のチップクーラーは、コンプレッサーと冷媒を使用する必要がないため、クーラーの重量を軽くして運搬と設置の便を図ることができ、使用においては、消費電力が少なく、静かで、環境保護の効果を確実に達成することができる。しかも、実施時には、相同の構造をヒーター、或いは冷暖房機、冷蔵庫、或いは他の温度制御電器に関する製品に応用することができる。すなわち、サーモエレクトリッククーリングチップを主要構造として、冷却及び散熱部品を加え、クーラー、ヒーター、或いは冷暖房機、冷蔵庫、或いは他の温度制御電器に関する製品を製造することができる。
【００１３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１４】
本考案は実用新案の要件である新規性を備え、従来の同類製品に比べ十分な進歩を有し、実用性が高く、社会のニーズに合致しており、産業上の利用価値は非常に大きい。
【符号の説明】
【００１５】
１  サーモエレクトリッククーリングチップ
２  殻体
３  冷却フィン
４  散熱フィン
５  ポンプ
６  ベークライトパッド
１０  電源スイッチ
１１  冷却パネル
１２  散熱パネル
２０  温度設定ボタン
２１  冷却空間
２２  発熱空間
２３  冷気出口
２４  吸気口
２５  熱気排出口
３１  循環式冷却水管
３２  冷気ファン
４１  循環式散熱水管
４２  加速散熱フィン
４３  循環式加速散熱水管
４４  吸気ファン
４５  散熱ファン
【図１】
0003157032.tif 000003
【図２】
0003157032.tif 000004